(57)【要約】  【課題】  放尿の飛び出しを長期の使用に耐えて防止する水洗洋式便器を提供することを目的とする。  【解決手段】  水洗洋式便器２１は便器本体２２がスカート部２３とボウル２４とリム部２５とで形成され、ヒンジ式の便座２６と便蓋２７を備える。便器本体２２のボウル２４の下部は排水口２４ａから水封用のトラップ部３０を介して排水管３１に連結されるので、ボウル２４には常時一定の水位Ｗまで水が溜まった状態である。水洗洋式便器２１のボウル２４の奥側面に男子が立位で放尿の際に放尿するに望ましい放出目標としての凸状標的Ｓがボウル２４と一体的に三角錐形状で形成され、三角錐形状の側面の一辺Ｓ１が上方に向くように配置される。凸状標的Ｓはボウル２４の常時一定の水位Ｗで満たされた溜水Ｗ１に浸る領域に形成される。  【選択図】図２
2009150159.tif 000002
【特許請求の範囲】
【請求項１】
水洗洋式便器において、
男子が立位で放尿の際の放出目標としての凸状標的が前記水洗洋式便器のボウルと一体的に形成されることを特徴とする水洗洋式便器。
【請求項２】
請求項１に記載の水洗洋式便器であって、前記凸状標的は円錐形状又は角錐形状で前記ボウルの常時一定水位の溜水に浸る領域に形成されることを特徴とする水洗洋式便器。
【発明の詳細な説明】
【技術分野】
【０００１】
本発明は水洗洋式便器に関し、男子が立位で放尿の際に小水がボウル面からの飛び出すのを防止する技術に関する。
【背景技術】
【０００２】
従来、水洗洋式便器のボウル面からの小水の飛び出しを防止するための技術として特許文献１の方法が知られている。
【０００３】
特許文献１によれば、図４に示すように、水洗洋式便器１は本体部２と、便座部３及び蓋５によって構成されている。便座部３及び蓋５は根元部分が図示しないヒンジによって本体部２に揺動可能に接続されている。男子が放尿する際には便座部３と蓋５はハネ上げられる。
【０００４】
水洗洋式便器１の本体部２のボウル６には、常時、一定の水位１１まで水が張られており、水洗洋式便器１の排水路にはトラップ部７が設けられ、トラップ部７の頂端部８の位置まで水が溜まる構成となっている。
【０００５】
そして、使用者から見てボウル６の奥側であって且つ水面下の位置に放尿標識１０が設けられ、放尿標識１０の位置はトラップ部７の水路の頂端部８よりも下方である。放尿標識１０は、男子が放尿する際の望ましい着地目標を印す目印であり、放尿が放尿標識１０に命中すれば、跳ね返りや飛沫が床にこぼれることは少ない。
【特許文献１】特開２００７−２２４５５０号公報
【発明の開示】
【発明が解決しようとする課題】
【０００６】
ところが、このような水洗洋式便器１の放尿標識１０では、長期の使用によって放尿標識１０が外れたり剥げたりすることがあるので、放尿の目標が定まらず放尿標識位置から外れた放尿がボウル６外へ飛散するという問題が発生していた。
【０００７】
そこで、本発明は、上記問題点に鑑みて、放尿の飛び出しを長期の使用に耐えて防止する水洗洋式便器を提供することを目的とする。
【課題を解決するための手段】
【０００８】
請求項１の発明は、水洗洋式便器において、男子が立位で放尿の際の放出目標としての凸状標的が前記水洗洋式便器のボウルと一体的に形成されることを特徴としている。
【０００９】
請求項２の発明は、請求項１に記載の水洗洋式便器であって、前記凸状標的は円錐形状又は角錐形状で前記ボウルの常時一定水位の溜水に浸る領域に形成されることを特徴としている。
【発明の効果】
【００１０】
請求項１の発明によれば、男子が立位で放尿の際の放出目標としての凸状標的が前記水洗洋式便器のボウルと一体的に形成されるので、凸状標的は外れたり剥げたりせず永続的に存在するので、長期に亘って常に放尿の目標が定まり放尿がボウル外へ飛散することが防止できる。
【００１１】
請求項２の発明によれば、前記凸状標的は円錐形状又は角錐形状で前記ボウルの常時一定水位の溜水に浸る領域に形成されるので、汚物や小水が直接溜まり難いのでその表面が汚れず標識としての効果が持続できる。
【発明を実施するための最良の形態】
【００１２】
＜本発明の実施形態＞
以下に、本発明の実施形態を図１〜図３に基づいて説明する。
【００１３】
＜水洗洋式便器構成＞  
図１、図２、図３（ａ）、（ｂ）に示すように、本発明の実施形態における水洗洋式便器２１は便器本体２２がスカート部２３とボウル２４とリム部２５とから成り、ヒンジ式の便座２６と便蓋２７を備える。男子が放尿する際には便座２６と便蓋２７を跳上げて使用する。
【００１４】
便器本体２２のボウル２４の下部は排水口２４ａから水封用のトラップ部３０を介して排水管３１に連結されるので、ボウル２４には常時一定の水位Ｗまで水が溜まった状態である。水位Ｗはトラップ部３０の内部における頂端３０ａの高さ位置である。
【００１５】
ここで、前記水洗洋式便器２１のボウル２４の奥側面に男子が立位で放尿の際に放尿するに望ましい放出目標としての凸状標的Ｓがボウル２４と一体的に形成される。凸状標的Ｓは三角錐形状で一対の側面Ｓ２で挟まれた一辺Ｓ１が上方に向くように配置される。なお、凸状標的Ｓは前記ボウル２４の常時一定の水位Ｗで満たされる溜水Ｗ１に浸る領域に形成される。
【００１６】
便器本体２２のスカート部２３と、凸状標的Ｓが一体的に形成されるボウル２４と、リム部２５とは、樹脂や陶器等でそれぞれ別部品として加工した後に固着して組立てられる。
【００１７】
＜水洗洋式便器の作用＞
上記のように、前記水洗洋式便器２１のボウル２４の奥側面に男子が立位で放尿の際の放出目標としての凸状標的Ｓが形成され、前記凸状標的Ｓはボウル２４と一体的に三角錐形状で形成される、このため、望ましい放出目標としての放尿標識１０に放尿が命中することで、放尿の跳ね返りや飛沫が床にこぼれることが減少する。
【００１８】
三角錐形状の凸状標的Ｓは側面の一辺Ｓ１が上方に向くように形成されるので、放尿は一辺Ｓ１を挟む一対の側面Ｓ２によって左右に振り分けられるので上方への跳ね返りが少なくなる。また、前記凸状標的Ｓは前記ボウルの常時一定の水位Ｗである溜水Ｗ１に浸る領域に設けられるので、凸状標的Ｓが乾燥することがない。このため、汚れの附着等が減少し放尿標識としての品質性を長期間保持できる。
【００１９】
前記凸状標的Ｓはボウル２４と一体的に形成されるのでそれぞれを別途形成する手間が不要なので製作コストも減少する。
【００２０】
以上、本発明の実施例を図面に基づいて説明したが、具体的な構成はこの実施例に限られるものではなく本発明の要旨を逸脱しない範囲の設計変更等があっても本発明に含まれる。
【００２１】
例えば、凸状標的Ｓは円錐形状でも構わない。凸状標的Ｓは四角錐形状でも良く、この場合、四角錐形状と同様に側面の一辺が上方に向くように配置するのが好ましい。
【００２２】
凸状標的Ｓは前記ボウル２４の常時一定の水位Ｗより少し上方で水位Ｗに接する位置に設けても構わない。この位置であれば、放尿と放尿による衝撃による溜水Ｗ１の振動水によって凸状標的Ｓは使用毎に常に濡れた状態が発生するので汚れの附着等が減少し放尿標識としての品質性を長期間保持できる。
【００２３】
なお、便器本体２２のスカート部２３と、凸状標的Ｓと一体のボウル２４と、リム部２５とは、樹脂や陶器で全体を一体形成しても構わない。
【図面の簡単な説明】
【００２４】
【図１】本発明の実施形態における水洗洋式便器２１の斜視図である。
【図２】本発明の実施形態における水洗洋式便器２１の図１におけるＡ−Ａ断面図である。
【図３】本発明の実施形態における、（ａ）は凸状標的Ｓの正面図、（ｂ）は図３（ａ）のＢ−Ｂ断面図である。
【図４】従来の水洗洋式便器１の側面断面図である。
【符号の説明】
【００２５】
２１  水洗洋式便器
２２  便器本体
２３  スカート部
２４  ボウル
２４ａ  排水口
２５  リム部
２６  便座
２７  便蓋
３０  トラップ部
３１  排水管
Ｓ  凸状標的
Ｓ１  一辺
Ｗ  水位
Ｗ１  溜水
【図１】
2009150159.tif 000003
【図２】
2009150159.tif 000004
【図３】
2009150159.tif 000005
【図４】
2009150159.tif 000006